(57)【要約】      （修正有）【課題】多数の通帳を嵩張らず且つ各通帳の存在を一見して確認できるように収容可能とする通帳ファイル及び通帳整理用台紙を提供する。【解決手段】金融機関等の発行する通帳Ａを収容するための通帳ファイル１である。通帳ファイル１は、見開き可能な表裏の表紙体１０ａ，１０ｂを有し、表紙体１０ａ，１０ｂの内側面の複数個所に通帳Ａを保持するためのポケット部３が設けられる。ポケット部３は、上縁部に設けられて通帳Ａの長辺長さと同じか少し大きめの差込口３１と、少なくとも通帳Ａの表紙を配置可能とする収容空間とを備え、通帳Ａの表紙又は通帳Ａ全体を上記ポケット部３の差込口３１から収容空間内に差し込んで通帳Ａをポケット部３に保持可能な構成とし、且つ、保持した状態の通帳Ａ同士が重ならない間隔で上下又は左右に複数設ける。【選択図】図１
0003150915.tif 000002
【実用新案登録請求の範囲】
【請求項１】
金融機関等の発行する通帳を収容するための通帳ファイルであって、
見開き可能な表裏の表紙体を有し、表紙体の内側面の複数個所に通帳を保持するためのポケット部が設けられ、
上記ポケット部は、
上縁部に設けられて通帳の長辺長さと同じか少し大きめの差込口と、少なくとも通帳の表紙を配置可能とする収容空間とを備え、
通帳の表紙又は通帳全体を上記ポケット部の差込口から収容空間内に差し込んで通帳をポケット部に保持可能な構成とし、且つ、
保持した状態の通帳同士が重ならない間隔で上下又は左右に複数設けられている通帳ファイル。
【請求項２】
請求項１に記載の通帳ファイルにおいて、
上記表紙体の内側面に１枚のシートがその周縁部の全周又は一部において接合され、
シートと表紙体との間に上記収容空間を形成すると共にシートに開口又は切込みを穿設して上記差込口を形成して、上記表紙体の内側面に複数のポケット部が形成されている通帳ファイル。
【請求項３】
請求項１又は２に記載の通帳ファイルにおいて、
上記各ポケット部には、差込口の上端から下方へ垂下する舌片が形成され、
上記舌片は、ポケット部に保持した状態の通帳の表紙上に配置可能な構成とした通帳ファイル。
【請求項４】
請求項１乃至３のいずれかに記載の通帳ファイルにおいて、
上記各ポケット部の下縁部には、シートと表紙体とを接合して通帳の移動を阻止する固定部が形成されている通帳ファイル。
【請求項５】
金融機関等の発行する通帳を収容するための通帳整理用台紙であって、
中間シートの表裏面の複数個所に通帳を保持するためのポケット部が設けられ、
上記ポケット部は、
上縁部に設けられて通帳の長辺長さと同じか少し大きめの差込口と、少なくとも通帳の表紙を配置可能とする収容空間とを備え、
通帳の表紙又は通帳全体を上記ポケット部の差込口から収容空間内に差し込んで通帳をポケット部に保持可能な構成とし、且つ、
保持した状態の通帳同士が重ならない間隔で上下又は左右に複数設けられている通帳整理用台紙。
【請求項６】
請求項５に記載の通帳整理用台紙において、
上記中間シートの表裏面のそれぞれに１枚の外側シートがその周縁部の全周又は一部において接合され、
外側シートと中間シートとの間に上記収容空間を形成すると共に外側シートに開口又は切込みを穿設して上記差込口を形成して、上記中間シートの表裏面のそれぞれに複数のポケット部が形成されている通帳整理用台紙。
【請求項７】
請求項５又は６に記載の通帳整理用台紙において、
上記各ポケット部には、差込口の上端から下方へ垂下する舌片が形成され、
上記舌片は、ポケット部に保持した状態の通帳の表紙上に配置可能な構成とした通帳整理用台紙。
【請求項８】
請求項５乃至７のいずれかに記載の通帳整理用台紙において、
上記各ポケット部の下縁部には、外側シートと中間シートとを接合して通帳の移動を阻止する固定部が形成されている通帳整理用台紙。
【考案の詳細な説明】
【技術分野】
【０００１】
本考案は、多数の通帳を保管するための通帳ファイル及び通帳整理用台紙に関する。
【背景技術】
【０００２】
通帳は、日付、入出金、預金残高等を印字するページが多数綴じられた冊子となっている。全ページに印字が記帳されると新たな通帳がその金融機関より発行される。そのため、例えば、入出金等の多い預金者は、記帳済みの通帳を多数所持することとなる。また、複数の金融機関に口座を開設している場合も、各金融機関毎に預金通帳を所持することとなる。これら多数の通帳は、通常、重ねてゴムバンド等をかけて束ね、この通帳の束をキャビネット等の引出しや金庫等に保管されている。
【０００３】
このように多数の通帳を束ねると嵩張るため無駄に広い保管スペースが必要となり、また、過去の記帳を調べたいときに特定の通帳を探し出すのが非常に面倒であった。また、重ねて束ねられていると、その中の１部の通帳が持ち出されているか等も一見してわからず、仮に紛失等していても気付かないこともある。
【先行技術文献】
【特許文献】
【０００４】
【特許文献１】実用新案登録第３０４２６９０号公報
【考案の概要】
【考案が解決しようとする課題】
【０００５】
本考案は、上記事情に鑑みてなされたものであり、多数の通帳を嵩張らず且つ各通帳の存在を一見して確認できるように収容可能とする通帳ファイル及び通帳整理用台紙を提供することを課題とする。
【課題を解決するための手段】
【０００６】
本考案に係る通帳ファイルは、
金融機関等の発行する通帳を収容するための通帳ファイルであって、
見開き可能な表裏の表紙体を有し、表紙体の内側面の複数個所に通帳を保持するためのポケット部が設けられ、
上記ポケット部は、
上縁部に設けられて通帳の長辺長さと同じか少し大きめの差込口と、少なくとも通帳の表紙を配置可能とする収容空間とを備え、
通帳の表紙又は通帳全体を上記ポケット部の差込口から収容空間内に差し込んで通帳をポケット部に保持可能な構成とし、且つ、
保持した状態の通帳同士が重ならない間隔で上下又は左右に複数設けられているものである。
【０００７】
上記構成によれば、表紙体の内側面の各ポケット部に通帳を１冊ずつ収容させることにより、多数の通帳を嵩張らずに収容させることができる。そして、表紙体を閉じた状態の通帳ファイルは、細幅のスペース内に保管することができる。また、表紙体を見開くことでポケット部に通帳が収容されているか否かは一見してわかるので、特定の通帳の持ち出しにも直ぐに気付く。
【０００８】
また、上記通帳ファイルは、
上記表紙体の内側面に１枚のシートがその周縁部の全周又は一部において接合され、
シートと表紙体との間に上記収容空間を形成すると共にシートに開口又は切込みを穿設して上記差込口を形成して、上記表紙体の内側面に複数のポケット部が形成されていることが望ましい。
これにより、複数のポケット部を簡単に形成することができる。
【０００９】
また、上記通帳ファイルは、
上記各ポケット部には、差込口の上端から下方へ垂下する舌片が形成され、
上記舌片は、ポケット部に保持した状態の通帳の表紙上に配置可能な構成とすることが望ましい。
これにより、ポケット部に収容する通帳のポケット部からの脱落を防止することができる。
【００１０】
また、上記通帳ファイルは、
上記各ポケット部の下縁部には、シートと表紙体とを接合して通帳の移動を阻止する固定部が形成されていることが望ましい。
これにより、固定部によって通帳がポケット部の奥へ移動するのを阻止することができ、通帳をポケット部の所定位置に安定して配置させることができる。
【００１１】
一方、本考案に係る通帳整理用台紙は、
金融機関等の発行する通帳を収容するための通帳整理用台紙であって、
中間シートの表裏面の複数個所に通帳を保持するためのポケット部が設けられ、
上記ポケット部は、
上縁部に設けられて通帳の長辺長さと同じか少し大きめの差込口と、少なくとも通帳の表紙を配置可能とする収容空間とを備え、
通帳の表紙又は通帳全体を上記ポケット部の差込口から収容空間内に差し込んで通帳をポケット部に保持可能な構成とし、且つ、
保持した状態の通帳同士が重ならない間隔で上下又は左右に複数設けられているものである。
【００１２】
上記構成によれば、各ポケット部に通帳を１冊ずつ収容させることにより、多数の通帳を嵩張らずに収容させることができる。また、ポケット部に通帳が収容されているか否かは一見してわかるので、特定の通帳の持ち出しにも直ぐに気付く。さらに、この通帳整理用台紙を既存のファイルに綴じることで通帳保管専用のファイルを簡単に得ることができる。しかも、通帳の枚数が増えても、それに応じてこの通帳整理用台紙の枚数を増やすことで、同一の通帳専用ファイルにまとめて保管することができ、便利で使い勝手がよい。
【００１３】
また、上記通帳整理用台紙は、
上記中間シートの表裏面のそれぞれに１枚の外側シートがその周縁部の全周又は一部において接合され、
外側シートと中間シートとの間に上記収容空間を形成すると共に外側シートに開口又は切込みを穿設して上記差込口を形成して、上記中間シートの表裏面のそれぞれに複数のポケット部が形成されていることが望ましい。
これにより、中間シートの表裏面のそれぞれに複数のポケット部を簡単に形成することができる。
【００１４】
また、上記通帳整理用台紙は、
上記各ポケット部には、差込口の上端から下方へ垂下する舌片が形成され、
上記舌片は、ポケット部に保持した状態の通帳の表紙上に配置可能な構成とするのが望ましい。
これにより、舌片によってポケット部に収容する通帳のポケット部からの脱落を防止することができる。
【００１５】
また、上記通帳整理用台紙は、
上記各ポケット部の下縁部には、外側シートと中間シートとを接合して通帳の移動を阻止する固定部が形成されていることが望ましい。
これにより、固定部によって通帳がポケット部の奥へ移動するのを阻止することができ、通帳をポケット部の所定位置に安定して配置させることができる。
【考案の効果】
【００１６】
以上のように、本考案によれば、多数の通帳を嵩張らず且つ各通帳の存在を一見して確認できるように収容可能とした通帳ファイル及び通帳整理用台紙が得られる。
【図面の簡単な説明】
【００１７】
【図１】実施形態１による通帳ファイルを半開き状態にして各ポケット部に通帳を保持した様子示した斜視図である。
【図２】実施形態１による通帳ファイルを見開いた状態を示した平面図である。
【図３】実施形態１による通帳ファイルの構造を示した断面図である。
【図４】実施形態２による通帳整理用台紙を示した平面図である。
【図５】実施形態２による通帳整理用台紙の構造を示した断面図である。
【図６】実施形態２による通帳整理用台紙をファイルに綴じ、このファイルを半開き状態にして各ポケット部に通帳を保持した様子を示した斜視図である。
【図７】通帳ファイルの一変形例（舌片の変形）を示した斜視図である。
【図８】通帳整理用台紙の一変形例（舌片の変形）を示した平面図である。
【図９】通帳ファイルの一変形例（舌片なし）を示した斜視図である。
【図１０】通帳整理用台紙の一変形例（舌片なし）を示した平面図である。
【図１１】通帳ファイルの一変形例（２段のポケット部）を示した斜視図である。
【図１２】通帳整理用台紙の一変形例（２段のポケット部）を示した平面図である。
【図１３】通帳ファイルの一変形例（４つのポケット部）を示した斜視図である。
【図１４】通帳整理用台紙の一変形例（４つのポケット部）を示した平面図である。
【図１５】通帳ファイルの一変形例（４つのポケット部）を示した斜視図である。
【図１６】通帳整理用台紙の一変形例（４つのポケット部）を示した平面図である。
【図１７】通帳ファイルの一変形例（見出しの形成例）を示した斜視図である。
【図１８】通帳整理用台紙の一変形例（見出しの形成例）を示した平面図である。
【考案を実施するための形態】
【００１８】
以下に、本考案について添付図面を参照しながら説明する。
（実施形態１）
図１〜図３に示したファイルは、金融機関が預金者に発行する通帳Ａ（預金通帳や貯金通帳）を収容するための通帳ファイル１である。図１、図２に示すように、この通帳ファイル１は、長方形形状の表裏の表紙体１０ａ，１０ｂを備える。各表紙体１０ａ，１０ｂは、長辺側で中央のヒンジ部１１を介して左右に連続的に形成されており、この通帳ファイル１は、いわゆるＳ型（Side opening）のファイルである。ヒンジ部１１は、上下に連続する切込み線１２により構成され、このヒンジ部１１により左右の表紙体１０ａ，１０ｂが折り畳み且つ見開き自在となっている。各表紙体１０ａ，１０ｂは、例えば、Ａ４サイズに形成されるが、これに限らず各種のサイズに形成することができる。また、各表紙体１０ａ，１０ｂは、例えば、発泡又は非発泡の樹脂シートにより形成されるが、これに限らず、紙製、その他の材質で形成することができる。なお、表紙体１０ａ，１０ｂは、不透明であるが、透明素材で形成してもよい。
【００１９】
各表紙体１０ａ，１０ｂの内側面には、表紙体１０ａ，１０ｂと略同形・略同サイズの樹脂製シート２がその周縁部４０の全周に沿って接合されている。この接合は、溶着、接着剤、縫製等の各種手段で行なうことができる。また、シート２は、透明であるが、半透明や不透明であってもよい。そして、このシート２により通帳Ａを保持するためのポケット部３が上下に３段形成されている。
【００２０】
各ポケット部３は、図３も参照して、上縁部に横長スリット（開口又は切込み）により形成される差込口３１と、下縁部にシート２と表紙体１０ａ（１０ｂ）とを接合して形成される固定部３４と、シート２と表紙体１０ａ（１０ｂ）との間に形成される収容空間３２とを備える。差込口３１の長さは、通帳Ａの長辺長さと同じか少し大きめに形成されており、この差込口３１の中程は、略Ｕ字状に下方に湾曲形成されている。この湾曲により、差込口３１の上端から下方へ垂下する舌片３３が形成される。収容空間３２は、通帳サイズ以上の大きさを有している。固定部３４は、シート２と表紙体１０ａ，１０ｂとを溶着や縫製等により形成される。なお、最下段のポケット部３では、シート２と表紙体１０ａ，１０ｂとを周縁部４０で接合するこの接合部４の一部が固定部３４となる。この固定部３４は、収容空間３２に通帳サイズの広さが確保される位置に横長に形成される。
【００２１】
３段の各ポケット部３は、保持状態の隣接する通帳Ａ同士が重ならない間隔で上下に配置されている。そして、各ポケット部３には、通帳Ａの裏表紙を差込口３１から収容空間３２内に差し込んで通帳Ａを保持させる。このとき、舌片３３をポケット部３に保持した状態の通帳Ａの表表紙上に位置するように配置させる。この通帳ファイル１は、左右の各表紙体１０ａ，１０ｂの内側面にそれぞれ通帳Ａを３冊ずつ収容でき、合計で６冊の通帳Ａが収容可能となっている。なお、通帳Ａ全体をポケット部３に収容させてもよい。
【００２２】
以上の構成の通帳ファイル１によれば、表紙体１０ａ，１０ｂの内側面の各ポケット部３に通帳Ａを１冊ずつ収容させることができる。このとき、ポケット部３の下縁部には固定部３４が形成されているので、固定部３４によって通帳Ａがポケット部３の奥へ移動するのを阻止することができ、通帳Ａをポケット部３の所定位置に安定して配置させることができる。また、舌片３３をポケット部３に保持した状態の通帳Ａの表表紙上に配置させることで、この舌片３３によってポケット部３に収容する通帳Ａがポケット部３から脱落するのを防止することができる。
【００２３】
各ポケット部３は、保持した状態の通帳Ａ同士が重ならない間隔で上下又は左右に設けられているので、嵩張らずに多数の通帳Ａを収容させることができる。そして、表裏の表紙体１０ａ，１０ｂを閉じた状態の通帳ファイル１は、細幅のスペースしか要しない。従って、この通帳ファイル１によれば、多数の通帳Ａを嵩張ることなく、例えばキャビネットの鍵付きの引出しや金庫等に省スペースに保管させることができる。
【００２４】
また、表裏の表紙体１０ａ，１０ｂを見開くことでポケット部３に通帳Ａが収容されているか否かは一見してわかるので、特定の通帳Ａの持ち出しにも直ぐに気付く。そして、通帳Ａの裏表紙をポケット部３に差し込んで収容すれば通帳Ａの記帳ページがポケット部３外に配置される。従って、ポケット部３から通帳Ａを取り出すことなく保持状態で記帳ページをめくって必要項目を簡単に確認することができる。また、表紙体１０ａ，１０ｂに接合するシート２が透明素材であれば、通帳Ａの裏表紙の記載内容も確認できる点で有益である。
【００２５】
また、表紙体１０ａ，１０ｂの内側面には１枚のシート２を接合して複数のポケット部３が形成されるので、複数のポケット部３を簡単に形成することができる。
【００２６】
（実施形態２）
実施形態２は、綴じ具８を備えたファイル９に綴じ込み可能（リフィールも可能）な通帳整理用台紙５である。図４、図５に示すように、通帳整理用台紙５は、長方形形状の樹脂製シート６，７ａ，７ｂを３枚重ねた状態で周縁部４０に沿って連続して溶着等により接合され、外側の２枚の外側シート７ａ，７ｂのそれぞれにおいて通帳Ａを保持するためのポケット部３が上下に３段形成されている。各ポケット部３は、通帳整理用台紙５の表裏の対称位置に設けられている。この通帳整理用台紙５を構成する真ん中の中間シート６は、外側の２枚の外側シート７ａ，７ｂよりも厚く形成されて通帳整理用台紙５の強度を確保するのが好ましいが、外側シート７ａ，７ｂと同じ厚みとしてもよい。また、２枚の外側シート７ａ，７ｂは透明素材とし中間シート６を不透明素材とするが、中間シート６も透明素材にしてもよいし、３枚とも不透明素材としてもよい等種々の組合わせが可能である。なお、中間シート６は、樹脂製に限らず、紙製、その他の材質で形成されてもよい。
【００２７】
各ポケット部３は、上縁部に横長スリット（開口又は切込み）により形成される差込口３１と、下縁部に各外側シート７ａ，７ｂと中間シート６とを溶着等で接合して形成される固定部３４と、各外側シート７ａ，７ｂと中間シート６との間に形成される収容空間３２とを備える。差込口３１の長さは、通帳Ａの長辺長さと同じか少し大きめに形成されており、この差込口３１の中程は、略Ｕ字状に下方に湾曲形成されている。この湾曲により、差込口３１の上端から下方へ垂下する舌片３３が形成される。収容空間３２は、通帳サイズ以上の大きさを有している。固定部３４は、表裏の対向する各ポケット部３において同じ位置に形成されている。なお、最下段のポケット部３では、周縁部４０の接合部４の一部が固定部３４となっている。この固定部３４は、収容空間３２に通帳サイズの広さが確保される位置に横長に形成される。
【００２８】
３段の各ポケット部３は、保持状態の隣接する通帳Ａ同士が重ならない間隔で上下に配置されている。そして、各ポケット部３には、通帳Ａの裏表紙を差込口３１から収容空間３２内に差し込んで通帳Ａを保持させる。このとき、舌片３３をポケット部３に保持した状態の通帳Ａの表表紙上に位置するように配置させる。この通帳整理用台紙５は、表裏にそれぞれ通帳Ａを３冊ずつ収容でき、合計で６冊の通帳Ａが収容可能となっている。なお、通帳Ａ全体をポケット部３に収容させてもよい。
【００２９】
また、通帳整理用台紙５の長辺側の一方には、ファイル９の綴じ具８に綴じるための綴じ穴５２を設けた綴じ片部５１が形成されている。綴じ穴５２は、図４では２穴のものを示すが、その他の多穴又は各種綴じ具８に対応した変則多穴等を形成することができる。なお、通帳整理用台紙５は、これを構成する３枚のシート６，７ａ，７ｂを同サイズで構成してもよいし、２枚の外側シート７ａ，７ｂが中間シート６よりも綴じ片部５１相当分だけ短く形成されて外側シート７ａ，７ｂの周縁部に沿って３枚のシート６，７ａ，７ｂを接合して構成してもよい。
【００３０】
以上の構成の通帳整理用台紙５によれば、図６に示すように、ファイル９の綴じ具８に綴じて利用される。そして、この通帳整理用台紙５の各ポケット部３に通帳Ａを１冊ずつ収容させることができる。このとき、ポケット部３の下縁部には固定部３４が形成されているので、固定部３４によって通帳Ａがポケット部３の奥へ移動するのを阻止することができ、通帳Ａをポケット部３の所定位置に安定して配置させることができる。また、舌片３３をポケット部３に保持した状態の通帳Ａの表表紙上に配置させることで、この舌片３３によってポケット部３に収容する通帳Ａがポケット部３から脱落するのを防止することができる。
【００３１】
各ポケット部３は、保持した状態の通帳Ａ同士が重ならない間隔で上下又は左右に設けられているので、嵩張らずに多数の通帳Ａを収容させることができる。そして、この通帳整理用台紙５を綴じたファイル９は、細幅のスペースしか要しない。従って、この通帳整理用台紙５を綴じたファイル９によれば、多数の通帳Ａを嵩張ることなく、例えばキャビネットの鍵付きの引出しや金庫等に省スペースに保管させることができる。
【００３２】
また、このファイル９の表紙体１０ａ，１０ｂを見開くことで通帳整理用台紙５の各ポケット部３に通帳Ａが収容されているか否かは一見してわかるので、特定の通帳Ａの持ち出しにも直ぐに気付く。そして、通帳Ａの裏表紙をポケット部３に差し込んで収容すれば通帳Ａの記帳ページがポケット部３外に配置される。従って、ポケット部３から通帳Ａを取り出すことなく保持状態で記帳ページをめくって必要項目を簡単に確認することができる。また、少なくとも表裏の各外側シート７ａ，７ｂが透明であれば、通帳Ａの裏表紙の記載内容も確認できる点で有益である。
【００３３】
さらには、この通帳整理用台紙５を既存のファイルに綴じることで通帳保管専用のファイル９を簡単に得ることができる。しかも、通帳Ａの枚数が増えても、それに応じてこの通帳整理用台紙５の綴じ込み枚数を増やすことで、同一の通帳専用ファイル９にまとめて保管することができ、便利で使い勝手がよい。
【００３４】
（変形例）
１．図７に示す通帳ファイル１Ａや図８に示す通帳整理用台紙５Ａのように、差込口３１の舌片３３Ａは、差込口３１の長手方向の端部近くまで長く形成した略長方形形状としてもよい。この舌片３３Ａによれば、通帳Ａの長辺部分を長く覆うことができ、ポケット部３に収容する通帳Ａの脱落を一層確実に阻止することができる。また、舌片３３，３３Ａの形状も三角形、半円形等の如く任意の形状に形成することができる。
【００３５】
２．図９に示す通帳ファイル１Ｂや図１０に示す通帳整理用台紙５Ｂのように、差込口３１Ｂには舌片３３（３３Ａ）を設けない構成としてもよい。これによれば、舌片３３（３３Ａ）をめくり上げる等の手間を要さずに通帳Ａを差込口３１から簡易にポケット部３に収容させることができる。
【００３６】
３．図１１に示す通帳ファイル１Ｃや図１２に示す通帳整理用台紙５Ｃのように、ポケット部３は、２段でもよく、また、２段や３段に限らず上下に任意の複数段形成するようにしてもよい。さらには、ポケット部３は、上下に限らず、左右に複数設けるようにしてもよく、また、上下及び左右に複数設けるようにしてもよい。
【００３７】
４．表紙体１０ａ，１０ｂの短辺側で開閉自在となったＥ型（End opening）のファイルとしてもよく、この場合、図１３に示す通帳ファイル１Ｄや図１４に示す通帳整理用台紙５Ｄのように、ポケット部３は、縦横２列ずつの４つ設けるようにしてもよく、また、上下又は／及び左右に複数設けるようにしてもよい。
また、図１５（通帳ファイル１Ｄ’）、図１６（通帳整理用台紙５Ｄ’）に示すように、一面において左右の横方向（例えば、縦横２列ずつ）にポケット部３を形成する場合、左右のポケット部３を区画するように、通帳ファイル１Ｄ’では左右のポケット部３の間にシート２と表紙体１０とを接合する溶着部３５を設け、通帳整理用台紙５Ｄ’では
左右のポケット部３の間にシート７ａ，６，７ｂを一体に接合する溶着部３５を設けるようにしてもよい。これにより、各ポケット部３が独立して区画されるので、通帳Ａの挿入が容易となる。
なお、図１３（通帳ファイル１Ｄ）、図１４（通帳整理用台紙５Ｄ）に示すように、左右のポケット部３の間を区画しない構造としてもよい。この場合、通帳Ａ以外の一覧表（例えば、銀行のＷＥＢサイトから入手される残高照会、明細照会、振替えなどの一覧等）や各種の証明書、保証書、取扱説明書などを、左右のポケット部３に連続して収容させることも可能となる。
【００３８】
５．図１７に示す通帳ファイル１Ｅや図１８に示す通帳整理用台紙５Ｅのように、外周縁に見出し部１３，５３を突出形成してもよく、また、各ポケット部３に隣接して見出し部１４，５４を形成してもよい。これら見出し部１３，５３，１４，５４は、見出し用紙を挿入可能なポケット状に形成されてもよいし、筆記具で直接書込み可能に形成されたものでもよい。
【００３９】
６．また、本考案に係る通帳ファイルや通帳整理用台紙としては、各ポケット部３の差込口３１を形成するシート２，７ａ，７ｂにおいて、ポケット部３の中央付近に貫通孔を設けたり、差込口３１の下端からポケット部３の中央付近まで連続した切欠きを設ける等して、これら貫通孔又は切欠き等から指を通してポケット部３から通帳Ａをスライドさせて取り出し易く構成してもよい。
【００４０】
７．また、本考案に係る通帳ファイルや通帳整理用台紙としては、上記実施形態のように、１面側に１枚のシート２，７ａ，７ｂを接合して複数のポケット部３を同時に形成する場合に限らず、各ポケット部３毎に対応してシート又は袋を接合してポケット部３を各々独立に形成するようにしてもよい。
【符号の説明】
【００４１】
１  通帳ファイル
２  シート
３  ポケット部
４  接合部
５  通帳整理用台紙
６  中間シート
７ａ，７ｂ  外側シート
８  綴じ具
９  ファイル
１０ａ，１０ｂ  表紙体
１１  ヒンジ部
１２  切込み線
１３  見出し片部
１４  見出しポケット
３１  差込口
３２  収容空間
３３  舌片
３４  固定部
４０  周縁部
５１  綴じ片部
５２  綴じ穴
５３  見出し片部
５４  見出しポケット
Ａ  通帳
【図１】
0003150915.tif 000003
【図２】
0003150915.tif 000004
【図３】
0003150915.tif 000005
【図４】
0003150915.tif 000006
【図５】
0003150915.tif 000007
【図６】
0003150915.tif 000008
【図７】
0003150915.tif 000009
【図８】
0003150915.tif 000010
【図９】
0003150915.tif 000011
【図１０】
0003150915.tif 000012
【図１１】
0003150915.tif 000013
【図１２】
0003150915.tif 000014
【図１３】
0003150915.tif 000015
【図１４】
0003150915.tif 000016
【図１５】
0003150915.tif 000017
【図１６】
0003150915.tif 000018
【図１７】
0003150915.tif 000019
【図１８】
0003150915.tif 000020